(57)【要約】【課題】複数の電池セルを備え、電池セルが互いに接続されるか否かを制御する電池回路が提供される。【解決手段】本開示の一態様によると、複数の電池セル（１６）を備える電池回路（２０）が開示される。複数の電池セル（１６）は、少なくとも１つの接続された電池セル（１６Ａ〜１６Ｃ）と少なくとも１つの接続されていない電池セル（１６Ｄ）とを含む。第１のスイッチ（１８Ａ〜１８Ｃ）は、少なくとも１つの接続された電池セル（１６Ａ〜１６Ｃ）の個々の電池セルの接続を絶つように構成され、第２のスイッチ（１８Ｄ）は、少なくとも１つの接続されていない電池セル（１６Ｄ）の個々の電池セルを接続するように構成される。コントローラ（２２）は、個々の接続された電池セル（１６Ａ〜１６Ｃ）の検出状態に基づいて、第１及び第２のスイッチ（１８Ａ〜１８Ｃ、１８Ｄ）を制御するように構成される。【選択図】図２Ａ
2017158427.tif 000002
【特許請求の範囲】
【請求項１】
少なくとも１つの接続された電池セルと少なくとも１つの接続されていない電池セルとを含む複数の電池セルと、
前記少なくとも１つの接続された電池セルの個々の電池セルの接続を絶つように構成された第１のスイッチと、
前記少なくとも１つの接続されていない電池セルの個々の電池セルを接続するように構成された第２のスイッチと、
前記個々の接続された電池セルの検出状態に基づいて、前記第１及び第２のスイッチを制御するように構成されたコントローラと、
を備える、電池回路。
【請求項２】
前記電池回路は、前記第１及び第２のスイッチを含む複数のスイッチを備え、各スイッチは、各電池セルに関連付けられ、前記コントローラは、互いに接続された前記電池セルの所定の品質を維持するように前記複数のスイッチを制御するように構成される、請求項１に記載の電池回路。
【請求項３】
前記個々の接続された電池セルの前記検出状態は、前記個々の接続された電池セルの出力が所定の閾値未満であることを含む、請求項１に記載の電池回路。
【請求項４】
前記少なくとも１つの接続された電池セルと、前記少なくとも１つの接続されていない電池セルは、複数の電池セルの一部であり、各電池セルは、関連付けられたスイッチを有し、当該関連付けられたスイッチは、前記電池セルが、共有された入力ノード及び共有された出力ノードを介して負荷及び前記複数の電池セルの他の電池セルに並列に接続されるか、または、前記負荷及び前記他の電池セルと接続されないかを制御し、各スイッチは、当該スイッチに関連付けられた電池セルと、前記共有された入力ノードまたは前記共有された出力ノードとの間に直列に接続され、且つ、
前記第１のスイッチは、前記個々の接続された電池セルの前記関連付けられたスイッチであり、前記第２のスイッチは、前記個々の接続されていない電池セルの前記関連付けられたスイッチである、請求項１に記載の電池回路。
【請求項５】
所与の電池セルの前記関連付けられたスイッチが、前記電池セルと前記共有された出力ノードとの間にある場合、前記共有された入力ノードと、前記所与の電池セルの前記入力との間にはスイッチがない、請求項４に記載の電池回路。
【請求項６】
前記少なくとも１つの接続された電池セルと前記少なくとも１つの接続されていない電池セルは、複数の電池セルの一部であり、各電池セルは、各入力ノード及び出力ノードを有し、各電池セルは、関連付けられたスイッチ対を有し、当該スイッチ対は、前記入力ノード及び出力ノードが、当該電池セルを前記複数の電池セルの他の電池セルに直列に接続する第１の構成、または、前記入力ノード及び出力ノードが各バイパスラインを介して接続され、当該電池セルは、前記複数の電池セルの前記他の電池セルとは接続されない第２の構成のいずれかを実施するように構成され、
前記コントローラは、前記検出状態に応答して、選択的に、前記個々の接続された電池セルを前記第２の構成に再構成し、前記個々の接続されていない電池セルを前記第１の構成に再構成するように前記スイッチ対を制御するように構成され、且つ、
前記個々の接続された電池セルの前記スイッチ対は、前記第１のスイッチを含み、前記個々の接続されていない電池セルの前記スイッチ対は、前記第２のスイッチを含む、請求項１に記載の電池回路。
【請求項７】
前記複数の電池セルの各電池セルに関して、前記スイッチ対の接続スイッチは、前記電池セルと、前記電池セルの前記入力ノードまたは前記出力ノードとの間に配置され、前記スイッチ対のバイパススイッチは、前記バイパスラインの一部である、請求項６に記載の電池回路。
【請求項８】
前記第１の構成においては、前記接続スイッチはＯＮで、前記バイパススイッチはＯＦＦであり、前記第２の構成においては、前記接続スイッチはＯＦＦで、前記バイパススイッチはＯＮである、請求項７に記載の電池回路。
【請求項９】
少なくとも１つの接続された電池セルの状態を検出することと、
前記検出に基づいて、
前記少なくとも１つの接続された電池セルの個々の電池セルの接続を絶つように第１のスイッチを制御することと、
少なくとも１つの接続されていない電池セルの個々の電池セルを接続するように第２のスイッチを制御することと、
を含む、電池セルの制御方法。
【請求項１０】
前記検出は、
前記個々の接続された電池セルの出力を測定することと、
前記測定に基づいて、前記個々の接続された電池セルの出力が所定の閾値未満であることを検出することと、
を含む、請求項９に記載の方法。
【請求項１１】
前記少なくとも１つの接続された電池セルと、前記少なくとも１つの接続されていない電池セルは、複数の電池セルの一部であり、前記方法は、互いに及び負荷に接続された前記複数の電池セルの所定の品質を維持することをさらに含む、請求項９に記載の方法。
【請求項１２】
前記少なくとも１つの接続された電池セルと、前記少なくとも１つの接続されていない電池セルは、複数の電池セルの一部であり、各電池セルは、関連付けられたスイッチを有し、当該スイッチは、前記電池セルを共有された入力ノード及び共有された出力ノードを介して負荷及び前記複数の電池セルの他の電池セルに並列に接続するか、または、前記負荷及び前記他の電池セルとは接続しないかを制御し、各スイッチは、当該スイッチに関連付けられた電池セルと、前記共有された入力ノードまたは前記共有された出力ノードとの間に直列に接続され、且つ、
前記第１のスイッチは、前記個々の接続された電池セルの前記関連付けられたスイッチであり、前記第２のスイッチは、前記個々の接続されていない電池セルの前記関連付けられたスイッチである、請求項９に記載の方法。
【請求項１３】
前記少なくとも１つの接続された電池セルと、前記少なくとも１つの接続されていない電池セルは、複数の電池セルの一部であり、各電池セルは、各入力ノード及び出力ノードを有し、各電池セルは、関連付けられたスイッチ対を有し、当該スイッチ対は、前記入力ノード及び出力ノードが、当該電池セルを前記複数の電池セルの他の電池セルに直列に接続する第１の構成、または、前記入力ノード及び出力ノードが各バイパスラインを介して接続され、当該電池セルは、前記複数の電池セルの前記他の電池セルと接続されない第２の構成とのいずれかを実施するように構成され、且つ、
前記個々の接続された電池セルの前記スイッチ対は、前記第１のスイッチを含み、前記個々の接続されていない電池セルの前記スイッチ対は、前記第２のスイッチを含む、請求項９に記載の方法。
【請求項１４】
前記複数の電池セルの各電池セルに関して、前記スイッチ対の接続スイッチは、前記電池セルと、前記電池セルの前記入力ノードまたは前記出力ノードとの間に配置され、前記スイッチ対のバイパススイッチは、前記バイパスラインの一部である、請求項１３に記載の方法。
【請求項１５】
前記第１の構成においては、前記接続スイッチがＯＮで、前記バイパススイッチがＯＦＦであり、前記第２の構成においては、前記接続スイッチがＯＦＦで、前記バイパススイッチがＯＮである、請求項１４に記載の方法。
【請求項１６】
負荷に電力を供給するように構成された電池であって、複数の電池セルを備え、当該複数の電池セルの少なくとも１つは接続され、当該複数の電池セルの少なくとも１つは接続されていない前記電池と、
前記少なくとも１つの接続された電池セルの個々の電池セルの接続を絶つように構成された第１のスイッチと、
前記少なくとも１つの接続されていない電池セルの個々の電池セルを接続するように構成された第２のスイッチと、
前記個々の接続された電池セルの検出状態に基づいて、前記第１及び第２のスイッチを制御するように構成されたコントローラと、
を備える、宇宙服。
【請求項１７】
前記少なくとも１つの接続された電池セルと、前記少なくとも１つの接続されていない電池セルは、複数の電池セルの一部であり、各電池セルは、関連付けられたスイッチを有し、当該関連付けられたスイッチは、当該電池セルが、共有された入力ノード及び共有された出力ノードを介して前記負荷及び前記複数の電池セルの他の電池セルに並列に接続されるか、または、前記負荷及び前記他の電池セルに接続されないかを制御し、各スイッチは、当該各スイッチに関連付けられた電池セルと、前記共有された入力ノードまたは前記共有された出力ノードのいずれかとの間に直列に接続され、
前記第１のスイッチは、前記個々の接続された電池セルの前記関連付けられたスイッチであり、前記第２のスイッチは、前記個々の接続されていない電池セルの前記関連付けられたスイッチである、請求項１６に記載の宇宙服。
【請求項１８】
所与の電池セルの前記関連付けられたスイッチが、前記電池セルと前記共有された出力ノードとの間にある場合、前記共有された入力ノードと、前記所与の電池セルの前記入力との間にはスイッチがない、請求項１７に記載の宇宙服。
【請求項１９】
前記少なくとも１つの接続された電池セルと、前記少なくとも１つの接続されていない電池セルは、複数の電池セルの一部であり、各電池セルは、各入力ノード及び出力ノードを有し、各電池セルは、関連付けられたスイッチ対を有し、当該スイッチ対は、前記入力ノード及び出力ノードが、当該電池セルを前記複数の電池セルのうちの他の電池セルに直列に接続する第１の構成、または、前記入力ノード及び出力ノードが、各バイパスラインによって接続され、当該電池セルは、前記複数の電池セルの前記他の電池セルと接続されていない第２の構成のいずれかを実施するように構成され、且つ、
前記コントローラは、前記検出状態に応答して、選択的に、前記個々の接続された電池セルを前記第２の構成に再構成し、前記個々の接続されていない電池セルを前記第１の構成に再構成するように前記スイッチ対を制御するように構成され、且つ、
前記個々の接続された電池セルの前記スイッチ対は、前記第１のスイッチを含み、前記個々の接続されていない電池セルの前記スイッチ対は、前記第２のスイッチを含む、請求項１６に記載の宇宙服。  
【請求項２０】
前記複数の電池セルの各電池セルに関して、前記スイッチ対の接続スイッチは、前記電池セルと、前記電池セルの前記入力ノードまたは前記出力ノードのいずれかとの間に配置され、前記スイッチ対のバイパススイッチは、前記バイパスラインの一部であり、且つ、
前記第１の構成において、前記接続スイッチはＯＮで、前記バイパススイッチはＯＦＦであり、前記第２の構成において、前記接続スイッチはＯＦＦで、前記バイパススイッチはＯＮである、請求項１６に記載の宇宙服。
【発明の詳細な説明】
【技術分野】
【０００１】
本出願は、電池に関し、より詳細には、電池セルが互いに接続されるか否かを制御する電池制御回路に関する。
【背景技術】
【０００２】
電池を用いて、特定の電圧及び電流の範囲で、装置に電力を供給することができる。電池は、直列及び／または並列に接続されたセルで構成される。電池の個々のセルは、電圧を提供し、電圧は主にセルの化学組成に左右される。所与のセルの設計によって、そのセルが提供できる電圧と電流は制限を受ける。追加のセルを並列に接続することによって、電池の電流出力を増加させ、追加のセルを直列に接続することによって、電池の電圧出力を増加させる。
【発明の概要】
【発明が解決しようとする課題】
【０００３】
電池セルが消耗すると、電池セルの出力は減衰する。しかしながら、出力減衰率は、セル間で均一でない場合があり、これは、装置に電力を送らずに、より強いセルからの出力が減衰セルに向かう原因になり得る。これは、セル同士の電圧が近くない時に起こる。結果として、減衰セルの損傷、電池からの出力の減少、及び／または、電池の初期故障を招く場合がある。
【課題を解決するための手段】
【０００４】
電池回路の一例の実施形態は、複数の電池セルを含む。複数の電池セルは、少なくとも１つの接続された電池セルと、少なくとも１つの接続されていない電池セルを含む。第１のスイッチは、少なくとも１つの接続された電池セルの個々の電池セルの接続を断つように構成され、第２のスイッチは、少なくとも１つの接続されていない電池セルの個々の電池セルを接続するように構成される。コントローラは、個々の接続された電池セルの検出状態に基づいて、第１及び第２のスイッチを制御するように構成される。
【０００５】
上記電池回路の別の例の実施形態においては、電池回路は、第１及び第２のスイッチを含む複数のスイッチを備え、各スイッチは、各電池セルに関連付けられている。コントローラは、互いに接続された電池セルの所定の品質を維持するように複数のスイッチを制御するように構成される。
【０００６】
上記電池回路の別の例の実施形態においては、個々の接続された電池セルの検出状態は、個々の接続された電池セルの出力が所定の閾値未満であることを含む。
【０００７】
上記電池回路のいずれかの別の例の実施形態においては、少なくとも１つの接続された電池セルと少なくとも１つの接続されていない電池セルは、複数の電池セルの一部であり、各電池セルは、関連付けられたスイッチを有し、関連付けられたスイッチは、その電池セルが、共有された入力ノード及び共有された出力ノードを介して負荷及び複数の電池セルのうちの他の電池セルに並列に接続されるか、または、負荷及び他の電池セルと接続されないかを制御する。各スイッチは、そのスイッチに関連付けられた電池セルと、共有された入力ノードまたは共有された出力ノードのいずれかとの間に直列に接続される。第１のスイッチは、個々の接続された電池セルの関連付けられたスイッチであり、第２のスイッチは、個々の接続されていない電池セルの関連付けられたスイッチである。
【０００８】
上記電池回路のいずれかの別の例の実施形態においては、所与の電池セルの関連付けられたスイッチが、その電池セルと共有された出力ノードとの間にある場合、共有された入力ノードとその所与の電池セルの入力との間にスイッチはない。
【０００９】
上記電池回路のいずれかの別の例の実施形態においては、少なくとも１つの接続された電池セルと少なくとも１つの接続されていない電池セルは、複数の電池セルの一部であり、各電池セルは、各入力ノード及び出力ノードを有し、各電池セルは、関連付けられたスイッチ対を有する。関連付けられたスイッチ対は、入力ノード及び出力ノードが、その電池セルを複数の電池セルのうちの他の電池セルに直列に接続する第１の構成、または、入力ノード及び出力ノードが各バイパスラインを介して接続され、その電池セルは、複数の電池セルのうちの他の電池セルと接続されていない第２の構成のいずれかを実施するように構成される。コントローラは、検出状態に応答して、選択的に、個々の接続された電池セルを第２の構成に再構成し、個々の接続されていない電池セルを第１の構成に再構成するようにスイッチ対を制御するように構成される。個々の接続された電池セルのスイッチ対は、第１のスイッチを含み、個々の接続されていない電池セルのスイッチ対は、第２のスイッチを含む。
【００１０】
上記電池回路のいずれかの別の例の実施形態においては、複数の電池セルのそれぞれに関して、スイッチ対の接続スイッチは、電池セルと、電池セルの入力ノードまたは出力ノードのいずれかとの間に配置され、スイッチ対のバイパススイッチは、バイパスラインの一部である。
【００１１】
上記電池回路のいずれかの別の例の実施形態において、第１の構成においては、接続スイッチがＯＮでバイパススイッチがＯＦＦであり、第２の構成においては、接続スイッチがＯＦＦでバイパススイッチがＯＮである。
【００１２】
電池セルを制御する方法の一例の実施形態は、少なくとも１つの接続された電池セルの状態を検出することを含む。検出に基づいて、第１のスイッチは、少なくとも１つの接続された電池セルの個々の電池セルの接続を断つように制御され、第２のスイッチは、少なくとも１つの接続されていない電池セルの個々の電池セルを接続するように制御される。
【００１３】
上記方法の別の例の実施形態においては、検出は、個々の接続された電池セルの出力を測定することと、その測定に基づいて、個々の接続された電池セルの出力が、所定の閾値未満であることを検出することと、を含む。
【００１４】
上記方法のいずれかの別の例の実施形態においては、少なくとも１つの接続された電池セルと少なくとも１つの接続されていない電池セルは、複数の電池セルの一部であり、複数の電池セルの所定の品質は、互いに及び負荷と接続されて維持される。
【００１５】
上記方法のいずれかの別の例の実施形態においては、少なくとも１つの接続された電池セルと、少なくとも１つの接続されていない電池セルは、複数の電池セルの一部であり、各電池セルは、関連付けられたスイッチを有し、関連付けられたスイッチは、その電池セルが、共有された入力ノード及び共有された出力ノードを介して負荷及び複数の電池セルのうちの他の電池セルに並列に接続されるか、または、負荷及び他の電池セルと接続されないかを制御する。各スイッチは、そのスイッチに関連付けられた電池セルと、共有された入力ノードまたは共有された出力ノードのいずれかとの間に直列に接続される。第１のスイッチは、個々の接続された電池セルの関連付けられたスイッチであり、第２のスイッチは、個々の接続されていない電池セルの関連付けられたスイッチである。
【００１６】
上記方法のいずれかの別の例の実施形態においては、少なくとも１つの接続された電池セルと、少なくとも１つの接続されていない電池セルは、複数の電池セルの一部であり、各電池セルは、各入力ノード及び出力ノードを有し、各電池セルは、関連付けられたスイッチ対を有し、関連付けられたスイッチ対は、入力ノード及び出力ノードが、その電池セルを複数の電池セルの他の電池セルに直列に接続する第１の構成、または、入力ノード及び出力ノードが各バイパスラインを介して接続され、その電池セルは複数の電池セルの他の電池セルと接続されていない第２の構成とのいずれかを実施するように構成される。個々の接続された電池セルのスイッチ対は、第１のスイッチを含み、個々の接続されていない電池セルのスイッチ対は、第２のスイッチを含む。
【００１７】
上記方法のいずれかの別の例の実施形態においては、複数の電池セルのそれぞれに関して、スイッチ対の接続スイッチは、電池セルと電池セルの入力ノードまたは出力ノードのいずれかとの間に配置され、スイッチ対のバイパススイッチは、バイパスラインの一部である。
【００１８】
上記方法のいずれかの別の例の実施形態において、第１の構成においては、接続スイッチはＯＮで、バイパススイッチはＯＦＦであり、第２の構成においては、接続スイッチはＯＦＦで、バイパススイッチはＯＮである。
【００１９】
宇宙服の一例の実施形態は、負荷に電力を供給するように構成された電池を備え、電池は、複数の電池セルを含み、複数の電池セルの少なくとも１つは、接続され、複数の電池セルの少なくとも１つは、接続されていない。第１のスイッチは、少なくとも１つの接続された電池セルの個々の電池セルの接続を断つように構成され、第２のスイッチは、少なくとも１つの接続されていない電池セルの個々の電池セルを接続するように構成される。コントローラは、個々の接続された電池セルの検出状態に基づいて、第１のスイッチ及び第２のスイッチを制御するように構成される。
【００２０】
上記宇宙服の別の例の実施形態において、少なくとも１つの接続された電池セルと、少なくとも１つの接続されていない電池セルは、複数の電池セルの一部であり、各電池セルは、関連付けられたスイッチを有し、関連付けられたスイッチは、その電池セルが、共有された入力ノード及び共有された出力ノードを介して負荷及び複数の電池セルのうちの他の電池セルに並列に接続されるか、または、負荷及び他の電池セルと接続されないかを制御する。各スイッチは、各スイッチに関連付けられた電池セルと、共有された入力ノードまたは共有された出力ノードのいずれかとの間に直列に接続される。第１のスイッチは、個々の接続された電池セルの関連付けられたスイッチであり、第２のスイッチは、個々の接続されていない電池セルの関連付けられたスイッチである。
【００２１】
上記宇宙服の別の例の実施形態においては、所与の電池セルの関連付けられたスイッチが、その電池セルと共有された出力ノードとの間にある場合、共有された入力ノードとその所与の電池セルの入力との間にスイッチは備えられない。
【００２２】
上記宇宙服の別の例の実施形態においては、少なくとも１つの接続された電池セルと、少なくとも１つの接続されていない電池セルは、複数の電池セルの一部であり、各電池セルは、各入力ノード及び出力ノードを有し、各電池セルは、関連付けられたスイッチ対を有し、関連付けられたスイッチ対は、入力ノード及び出力ノードがその電池セルを複数の電池セルのうちの他の電池セルに直列に接続する第１の構成、または、入力ノード及び出力ノードが各バイパスラインを介して接続され、その電池セルは複数の電池セルの他の電池セルと接続されていない第２の構成のいずれかを実施するように構成される。コントローラは、検出状態に応答して、選択的に、個々の接続された電池セルを第２の構成に再構成し、個々の接続されていない電池セルを第１の構成に再構成するようにスイッチ対を制御するように構成される。個々の接続された電池セルのスイッチ対は、第１のスイッチを含み、個々の接続されていない電池セルのスイッチ対は、第２のスイッチを含む。
【００２３】
上記宇宙服の別の例の実施形態においては、複数の電池セルのそれぞれに関して、スイッチ対の接続スイッチは、電池セルと、電池セルの入力ノードまたは出力ノードとの間に配置され、スイッチ対のバイパススイッチは、バイパスラインの一部である。第１の構成においては、接続スイッチはＯＮで、バイパススイッチはＯＦＦであり、第２の構成においては、接続スイッチはＯＦＦで、バイパススイッチはＯＮである。
【００２４】
これら及び他の特徴は、以下の図面と詳細な説明からよく理解されよう。
【図面の簡単な説明】
【００２５】
【図１】複数のセルを有する電池を備える宇宙服を示す概略図である。
【図２Ａ】電池のどのセルを使用するかを制御する並列回路の例を示す概略図である。
【図２Ｂ】セルの負側における制御を伴う代替の回路を示す図である。
【図３Ａ】電池のどの直列のセルを使用するかを制御する回路の別の例を示す概略図である。
【図３Ｂ】セルの両側での制御を有する代替の回路を示す図である。
【図４】図２Ａまたは図２Ｂの回路と共に使用し得る方法を示すフローチャートである。
【図５】図３Ａまたは図３Ｂの回路と共に使用し得る方法を示すフローチャートである。
【発明を実施するための形態】
【００２６】
本明細書に記載の実施形態は、独立してまたは任意の組み合わせで行われてよい。１つの実施形態との関連で記載された特徴は、このような特徴が両立しない場合を除いて、全ての実施形態に適用可能である。
【００２７】
図１は、負荷１４に電力を供給する電池１２を備える宇宙服１０を概略的に示す。電池は、複数のセル１６を備え、セル１６は、負荷１４に電力を供給するように直列または並列に選択的に接続できる。負荷１４は、例えば、宇宙服１０内の空気を冷却及び／または分配するモータ等の部品を含んでよい。宇宙服１０は、コントローラ２２も備え、コントローラ２２は、セル１６の出力を測定して、セル１６のどのセルを、互いに及び負荷１４に接続するかを制御するように構成される。電池セル１６の第１のサブセットは、最初に、互いに及び負荷１４に並列に接続された主要セルであり、電池セル１６の異なる第２のサブセットは、最初は、互いに及び電池セルの第１のサブセットに接続されていない予備セルである。コントローラ２２は、必要に応じて、主要セルの接続を絶ち、予備セルを接続できる。これは、宇宙遊泳は、兵站的な計画が困難なので、宇宙服においては特に価値がある。宇宙遊泳中に、電池の故障のために、宇宙飛行士が宇宙船に戻るのは非常な負担である。
【００２８】
図２Ａは、電池１２等の電池のどのセル１６を使用するかを制御する回路２０の例を概略的に示す。電池セル１６Ａ〜１６Ｄは、共有された入力ノード２５と共有された出力ノード２９との間に備えられ、並列に接続可能である。セル１６Ａ〜１６Ｄのそれぞれは、関連付けられたスイッチ１８を有し、スイッチ１８は、そのスイッチ１８に関連付けられた電池セル１６が、（ノード２５と２９の間の）電池セル１６のうちの他の電池セル１６及び負荷１４に並列に接続されるか、または、負荷１４及び他の電池セル１６と接続されないかを制御する。図２Ａの例においては、各スイッチ１８は、その電池セル１６の出力（すなわち、電池セル１６の正端子）とノード２９との間に直列に接続される。しかしながら、以下に記載のように、スイッチ１８の１つまたは複数は、代わりに、入力ノード２５と電池セル１６の入力（すなわち、電池セル１６の負端子）との間に配置することができる。
【００２９】
コントローラ２２は、選択的に、セル１６を互いに及び負荷１４と接続したり、接続を絶ったりするように、制御ライン２３を介してスイッチ１８を制御するように動作する。これは、例えば、所与のセル１６の電圧及び／または電流の減少等、セルの検出状態に基づいて、行うことができる。このような状態は、測定ライン２４を介して検出できる。一例においては、コントローラ２２は、セル１６の出力電圧をモニタし、所与のセルの電圧が所定の電圧閾値未満に降下する（または、所与のセルの電流が所定の電流閾値未満に降下する）時を認識するように構成される。
【００３０】
以下の記載においては、セル１６Ａ〜１６Ｃは、最初に接続されている主要セル（すなわち、スイッチ１８Ａ〜１８ＣはＯＮ）であり、セル１６Ｄは、最初は接続されていない予備セル（すなわち、スイッチ１８ＤはＯＦＦ）であると仮定する。コントローラ２２が、セル１６Ｃの出力電圧が所定の電圧閾値未満に降下するのを検出したとしよう。アクションを取らない場合、セル１６Ｃは、他のセル１６Ｂからの電流を吸収して、セル１６Ｃを加熱し、セル１６Ｃの状態をさらに悪化させ得る。これを回避するために、コントローラは、スイッチ１８ＣをＯＦＦにしてよく、それによって、セル１６Ｃと、セル１６Ａ〜１６Ｂ及び負荷１４との接続を絶ち、その代わりにスイッチ１８ＤをＯＮにしてセル１６Ｄを接続してよい。こうすると、電池１２は、消耗したセルに依存することなしに、所望の出力を維持することができる。
【００３１】
１つまたは複数の実施形態においては、コントローラ２２は、互いに並列に接続された電池セル１６（例えば、図２Ａの３つのセル）の所定の品質を維持するようにスイッチ１８を制御するよう構成される。４つのセルのみ（例えば、４つのうち３つは主要セルで、４つのうち１つは予備セル）を図示し、上述したが、任意の数のセルを使用してよく、異なる数のセルを主要セル及び予備セルとして構成してよいことは理解されよう。
【００３２】
図２Ａの例においては、入力ノード２５と、セルの入力（すなわち、セルの負端子）との間にはスイッチ１８を備えていない。この点については、各セルに関して１つのスイッチが、そのスイッチに関連付けられたセル１６を接続するか否かを制御するように動作する。
【００３３】
図２Ｂに示す代替の構成においては、スイッチ１１８は、入力ノード１２５とセル１１６の入力との間に直列に接続されるように再配置されてよい。セル１１６と出力ノード１２９との間にスイッチはない。このような構成によって、スイッチ１８に関して図２Ａに示した構成と比較して、スイッチ１１８のＯＮ抵抗を増加させてよい。
【００３４】
コントローラ２２は、各セル１６の入力（負）端子及び出力（正）端子と測定ライン２４を介して接続される測定回路２６を備える。一例においては、測定回路２６は、測定を行っているセル１６に対して交互に切り替わるマルチプレクサを利用する。測定は、例えば、電圧及び／または電流の測定であってよい。測定回路２６は、所定の閾値と比較するためのデジタル電圧値及び／または電流値を提供するアナログ−デジタルコンバータを備えてよい。コントローラ２２は、このような比較を行うためのマイクロプロセッサと、関連するメモリ（図示せず）とを備えてよい。
【００３５】
コントローラ２２は、制御ライン２３を介して各スイッチ１８の状態を制御するスイッチング制御回路２７も備え、制御ライン２３は、各スイッチ１８Ａ〜１８Ｄのゲートに接続されて、個々のスイッチ１８Ａ〜１８ＤがＯＮかＯＦＦかを制御する。
【００３６】
図３Ａは、電池１２のどのセル１６を使用するかを制御する別の例の回路２８を概略的に示す。図３Ａにおいては、電池セル１６Ａ〜１６Ｄが備えられ、各セル１６Ａ〜１６Ｄは、各入力ノード３４及び出力ノード３６を有する。各電池セル１６Ａ〜１６Ｄは、関連付けられたスイッチ対３０、３２も有し、スイッチ対３０、３２は、入力ノード及び出力ノード３４、３６が、その電池セル１６を複数の電池セル１６のうちの他の電池セル１６に直列に接続する第１の構成、または、入力ノード及び出力ノード３４、３６が各バイパスライン３８を介して接続され、電池セル１６は他の電池セルと接続されていない第２の構成とのいずれかを実施するように構成される。
【００３７】
図３Ａの各電池セル１６に関して、電池セル１６のスイッチ対の第１の接続スイッチ３０は、電池セルの入力ノード３４と、所与の電池セルの入力端子（すなわち、電池セルの負端子）との間に配置され、電池セル１６のスイッチ対の第２のバイパススイッチ３２は、バイパスライン３８の一部である。所与のセル１６が第１の構成であるためには、そのセル１６に関連付けられたスイッチ３０はＯＮで、そのセル１６に関連付けられたスイッチ３２はＯＦＦである。セル１６が第２の構成であるためには、セル１６のスイッチ３０はＯＦＦにされ、セル１６のスイッチ３２はＯＮにされる。
【００３８】
図３Ｂに示す代替の構成においては、第１のスイッチ１３０は、代わりに、電池セルの出力端子（すなわち、電池セルの正端子）と、電池セルの出力ノード１３６との間に配置され、セル１１６とセル１１６の入力ノード１３４との間にスイッチはない。
【００３９】
コントローラ２２’は、電池セル１６のうちの第１のサブセットが、最初、互いに直列に接続された主要セルであり、電池セル１６の異なる第２のサブセットが、最初、互いに及び電池セルのうちの第１のサブセットに接続されていない予備セルであるように、スイッチ３０、３２を制御するように構成される。以下に記載のように、セル１６Ａ〜１６Ｃは、最初に接続されている（すなわち、スイッチ３０Ａ〜３０ＣはＯＮ、スイッチ３２Ａ〜３２ＣはＯＦＦにされている）主要セルであり、セル１６Ｄは、最初、接続されていない（すなわち、スイッチ３０ＤはＯＦＦ、スイッチ３２ＤはＯＮ）である予備セルであると仮定する。
【００４０】
コントローラ２２’が、セル１６Ｃの出力電圧が所定の電圧閾値未満に降下するのを検出することも仮定する。この検出に基づいて、コントローラ２２’は、スイッチ３０ＣをＯＦＦにし、スイッチ３２ＣをＯＮにすることによって、ノード３４Ｃ、３６Ｃをバイパスライン３８を介して接続し、セル１６Ｃと、他のセル１６Ａ〜１６Ｂ及び負荷１４との接続を絶つ。コントローラ２２’は、また、スイッチ３０ＤをＯＮにし、スイッチ３２ＤをＯＦＦにすることによって、セル１６Ｄを他のセル１６Ａ〜１６Ｂに接続する。これによって、電池１２は、消耗したセル１６に依存することなく、所望の出力を維持することができる。
【００４１】
ここでも、４つのセルのみ（例えば、４つのうち３つは主要セルで、４つのうち１つは予備セル）を図示し、上述したが、任意の数のセルを使用してよく、異なる数のセルを主要セル及び予備セルとして構成してよいことは理解されよう。
【００４２】
コントローラ２２’は、スイッチング制御回路２７’を備える。スイッチング制御回路２７’は、選択的に、セル１６を互いに及び負荷と接続する、及び、接続を絶つように制御ライン２３’を介してスイッチ１８を制御するように構成される。コントローラ２２’は、測定回路２６’も備える。測定回路２６’は、測定ライン２４’を介して、各セル１６の出力（例えば、電圧及び／または電流の測定値）を測定するように構成される。上述の例においてのように、アナログ−デジタルコンバータ、マイクロプロセッサ、及び、メモリが、測定回路２６’に含まれてよい。
【００４３】
図４は、図２Ａまたは図２Ｂの回路と共に使用され得る、並列に接続された複数の電池セル１６を制御する方法１００のフローチャートである。複数の電池セル１６のうちの１つまたは複数の出力（例えば、出力電圧または電流）が測定される（ブロック１０２）。各セル１６は、入力ノード２５と出力ノード２９との間に並列に接続可能である。各電池セルは、関連付けられたスイッチ１８を有し、スイッチ１８は、その電池セル１６が、共有された入力ノード２５及び共有された出力ノード２９を介して負荷１４及び複数の電池セル１６のうちの他の電池セル１６に並列に接続されるか、または、負荷１４及び他の電池セル１６と接続されないかを制御する。各スイッチ１８は、入力ノード２５とそのスイッチに関連付けられた電池セル１６の入力（すなわち、電池セル１６の負端子）との間、または、出力ノード２９とそのスイッチに関連付けられた電池セル１６の出力（すなわち、電池セル１６の正端子）との間のいずれかに直列に接続される。スイッチは、ブロック１０２の測定に基づいて、選択的に、電池セル１６のうちの第１の電池セル１６と負荷１４及び他の電池セル１６との接続を絶ち、電池セル１６のうちの第２の接続されていない電池セル１６を負荷１４及び他の電池セル１６に接続するように制御される（ブロック１０４）。
【００４４】
図５は、図３Ａまたは図３Ｂの回路と共に用い得る、直列に接続された複数の電池セル１６を制御する方法２００のフローチャートである。複数の電池セル１６のうちの１つまたは複数の出力（例えば、出力電圧または電流）を測定する（ブロック２０２）。各電池セル１６は、各入力ノード３４及び出力ノード３６を有し、各電池セル１６は、関連付けられたスイッチ対３０、３２も有し、スイッチ対３０、３２は、入力ノード及び出力ノード３４、３６が、その電池セル１６を電池セル１６のうちの他の電池セル１６に直列に接続する第１の構成、または、入力ノード及び出力ノード３４、３６が、各バイパスライン３８を介して接続され、その電池セル１６は、電池セル１６のうちの他の電池セル１６と接続されていない第２の構成のいずれかを実施するように構成される。スイッチ対３０、３２は、測定に基づいて、選択的に、電池セルのうちの第１の電池セルを第２の構成に再構成し、電池セルのうちの第２の接続されていない電池セルを第１の構成に再構成するように制御される（ブロック２０４）。
【００４５】
上記様々な実施形態は、消耗した電池セルの切断を容易にし、それによって、電池１２の残りのセルの電力を保存することができる、また、予備電池セルの接続を容易にして、所望の電池出力を維持する。これは、一貫した、信頼できる電力を必要とする宇宙服にとって特に有用であり得る。
【００４６】
上記実施形態は、また、少数のスイッチを使用して開示の機能を実施できる。これによって、回路設計の複雑さを減らし、信頼性を高めることができる。
【００４７】
宇宙服１０への電力供給に関連して、回路２０、２８を記載したが、当然、複数の電池セルを利用する宇宙服以外の他の適用も可能であることは理解されよう。また、スイッチ１８、３０、３２は、Ｐ型ＭＯＳＦＥＴとして示したが、異なる型のスイッチを使用してもよいことは理解されよう。
【００４８】
例示の実施形態を開示したが、当業者は、一定の修正は本開示の範囲内であることを認識されよう。このため、本開示の真の範囲と内容を決定するためには、以下の請求項を検討するべきである。
【図１】
2017158427.tif 000003
【図２Ａ】
2017158427.tif 000004
【図２Ｂ】
2017158427.tif 000005
【図３Ａ】
2017158427.tif 000006
【図３Ｂ】
2017158427.tif 000007
【図４】
2017158427.tif 000008
【図５】
2017158427.tif 000009